【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記内部空間に配置されたメッセージングシステムと、このメッセージングシステムは、流体がカプセルに注入された状態を検出する水分センサーを備え、カプセルへの流体の注入において所望のメッセージを伝えるのに適したものである、
上記内部空間を密閉するものであり上記開口部を覆い配置されるカバーと、
を備えたカプセル。
【請求項２】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記内部空間に配置されたメッセージングシステムと、このメッセージングシステムは、機械の注入システム及び分配システムの少なくとも一つによってカプセルが突き刺された状態を検出するセンサーを備え、カプセルの穿孔において所望のメッセージを伝えるのに適しているものである、
上記内部空間を密閉するものであり上記開口部を覆い配置されるカバーと、
を備えたカプセル。
【請求項３】
上記メッセージングシステムは、さらに信号伝達システムを備え、この信号伝達システムは、カプセル内へ流体が注入された状態を上記水分センサーが検出したことにおいて所望の信号を発するものである、請求項１に記載のカプセル。
【請求項４】
上記メッセージングシステムは、さらに信号伝達システムを備え、この信号伝達システムは、機械の注入システム及び分配システムの少なくとも一つによってカプセルが突き刺された状態をセンサーが検出したことにおいて所望の信号を発するものである、請求項２に記載のカプセル。
【請求項５】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記内部空間に配置されたメッセージングシステムと、このメッセージングシステムは、カプセルによって作られることが意図される製品と通常関連しない一もしくは複数の特有の属性を、カプセルから分配される製品が有するために、当該カプセルに注入された流体と相互作用するのに適した物質を備える、
上記内部空間を密閉するものであり上記開口部を覆い配置されるカバーと、
を備えたカプセル。
【請求項６】
上記メッセージングシステムは、発音部を備える、請求項１から４のいずれかに記載のカプセル。
【請求項７】
上記メッセージングシステムは、リーダーによって読まれるのに適したタグを備える、請求項１から５のいずれかに記載のカプセル。
【請求項８】
上記材料の少なくとも幾つかを濾過する、上記内部空間に配置されたフィルターをさらに備える、請求項１から５のいずれかに記載のカプセル。
【請求項９】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記開口部を覆い配置され上記本体にシールされるものであるカバーと、このカバーは機械におけるカプセルの使用後に上記本体から離れてカバーを剥がすことによって少なくとも部分的に上記開口部から除去されるのに適するものである、
カプセルの内面に表示されるしるしと、このしるしは、上記カバーが本体から離れて少なくとも部分的に剥がされた状態においてのみ所望のメッセージを伝えるのに適したものである、
を備えたカプセル。
【請求項１０】
上記本体は、上記開口部を囲むフランジを含み、上記カバーはフランジにシールされるものである、請求項９に記載のカプセル。
【請求項１１】
上記カバーは、カプセルへ流体を注入するものである注入システムによって貫通されるのに適したものである、請求項９又は１０に記載のカプセル。
【請求項１２】
上記材料の少なくとも幾つかを濾過するものであり上記内部空間に配置されたフィルターをさらに備える、請求項９又は１０に記載のカプセル。
【請求項１３】
上記フィルターは、上記本体にシールされるものである、請求項１２に記載のカプセル。
【請求項１４】
上記フィルターは、上記カバーにシールされるものである、請求項１２に記載のカプセル。
【請求項１５】
上記本体から離れて上記カバーを剥がすのに適したものであるタブをさらに備えた、請求項９又は１０に記載のカプセル。
【請求項１６】
上記しるしは、上記本体の内面に表示されるものである、請求項９又は１０に記載のカプセル。
【請求項１７】
上記しるしは、上記内部空間に面する上記カバーの面に表示されるものである、請求項９又は１０に記載のカプセル。
【請求項１８】
上記本体は、上記しるしを表示するメッセージング層、及びメッセージング層を覆い上記内部空間に面するシール層を含む多層材料を備える、請求項９又は１０に記載のカプセル。
【請求項１９】
上記カバーは、上記しるしを表示するメッセージング層、及びメッセージング層を覆い上記内部空間に面するシール層を含む多層材料を備える、請求項９又は１０に記載のカプセル。
【請求項２０】
所望の製品を作るために機械にて使用されるカプセルであって、上記機械は、カプセル内へ流体を注入するものである注入システム、及びカプセルから所望の入れ物へ製品を分配するものである分配システムを有し、上記カプセルは、
開口部を有する内部空間を形成するものである本体と、
所望の製品を作るために流体と混合されるものであり上記内部空間に配置された材料と、
上記開口部を覆い配置され上記本体にシールされるものであるカバーと、
当該カプセルの一部を覆い配置される除去可能なクロージャーと、
カプセルの内面に表示されるしるしと、このしるしは、上記除去可能なクロージャーが当該カプセルの一部から除去された状態においてのみ所望のメッセージを伝えるのに適したものである、
を備えたカプセル。
【請求項２１】
上記カバーは、機械におけるカプセルの使用後に上記本体から離れてカバーを剥がすことによって少なくとも部分的に上記開口部から除去されるのに適したものである、請求項２０に記載のカプセル。
【請求項２２】
上記本体は、上記開口部を囲むフランジを含み、上記カバーはフランジにシールされるものである、請求項２０又は２１に記載のカプセル。
【請求項２３】
上記カバーは、カプセルへ流体を注入するものである注入システムによって貫通されるのに適したものである、請求項２０又は２１に記載のカプセル。
【請求項２４】
上記材料の少なくとも幾つかを濾過するものであり上記内部空間に配置されたフィルターをさらに備える、請求項２０又は２１に記載のカプセル。
【請求項２５】
上記フィルターは、上記本体にシールされるものである、請求項２４に記載のカプセル。
【請求項２６】
上記フィルターは、上記カバーにシールされるものである、請求項２４に記載のカプセル。
【請求項２７】
上記本体から離れて上記除去可能なクロージャーを剥がすのに適したものであるタブをさらに備えた、請求項２０又は２１に記載のカプセル。
【請求項２８】
上記本体は、上記しるしを表示するメッセージング層、及びメッセージング層を覆い上記内部空間に面するシール層を含む多層材料を備える、請求項２０又は２１に記載のカプセル。
【請求項２９】
上記カバーは、上記しるしを表示するメッセージング層、及びメッセージング層を覆い上記内部空間に面するシール層を含む多層材料を備える、請求項２０又は２１に記載のカプセル。
【請求項３０】
上記本体は、上記内部空間を共に形成する側壁及び端壁を含み、上記除去可能なクロージャーは、上記端壁において形成される開口を覆うのに適したものである、請求項２０又は２１に記載のカプセル。